(57)【特許請求の範囲】
【請求項１】
噴孔に対し発光するためにインジェクタノズル内に配置される発光装置と、前記発光装置から発せられ前記噴孔を通過した光を受光するために前記インジェクタノズル外に配置される受光装置とを具備する多数の微細噴孔を有するインジェクタノズルの検査装置であって、前記発光装置は複数の噴孔に対し同時に発光可能であり、前記受光装置は、前記発光装置から発せられ前記複数の噴孔を通過した複数の光を同時に受光可能であり、前記発光装置は前記インジェクタノズルの軸線方向に延びているほぼ線状の発光体を有することを特徴とする多数の微細噴孔を有するインジェクタノズルの検査装置。
【請求項２】
前記受光装置の受光面が円筒状であることを特徴とする請求項１に記載の多数の微細噴孔を有するインジェクタノズルの検査装置。
【発明の詳細な説明】
【０００１】
【発明の属する技術分野】
本発明は多数の微細噴孔を有するインジェクタノズルの検査装置に関する。
【０００２】
【従来の技術】
従来、噴孔に対し発光するための発光装置と、発光装置から発せられ噴孔を通過した光を受光するための受光装置とを具備する噴孔を有するインジェクタノズルの検査装置が知られている。この種の噴孔を有するインジェクタノズルの検査装置の例としては例えば特開平７−７２４６０号公報に記載されたものがある。
【０００３】
【発明が解決しようとする課題】
ところが、特開平７−７２４６０号公報に記載された噴孔を有するインジェクタノズルの検査装置では、発光装置は単一の噴孔のみに対し発光し、受光装置は、発光装置から発せられ単一の噴孔を通過した単一の光のみを受光する。そのため、複数の噴孔の相対位置関係が予め定められた相対位置関係になっているか否かを検査することができない。
【０００４】
前記問題点に鑑み、本発明は、複数の噴孔の相対位置関係が予め定められた相対位置関係になっているか否かを検査することができる多数の微細噴孔を有するインジェクタノズルの検査装置を提供することを目的とする。
【０００５】
【課題を解決するための手段】
請求項１に記載の発明によれば、噴孔に対し発光するためにインジェクタノズル内に配置される発光装置と、前記発光装置から発せられ前記噴孔を通過した光を受光するために前記インジェクタノズル外に配置される受光装置とを具備する多数の微細噴孔を有するインジェクタノズルの検査装置であって、前記発光装置は複数の噴孔に対し同時に発光可能であり、前記受光装置は、前記発光装置から発せられ前記複数の噴孔を通過した複数の光を同時に受光可能であり、前記発光装置は前記インジェクタノズルの軸線方向に延びているほぼ線状の発光体を有することを特徴とする多数の微細噴孔を有するインジェクタノズルの検査装置が提供される。
【０００７】
請求項１に記載の多数の微細噴孔を有するインジェクタノズルの検査装置では、発光装置が複数の噴孔に対し同時に発光可能であり、受光装置が、発光装置から発せられ複数の噴孔を通過した複数の光を同時に受光可能であり、発光装置がインジェクタノズルの軸線方向に延びているほぼ線状の発光体を有する。そのため、発光装置は、インジェクタノズルの周方向に配列された複数の噴孔に対し同時に発光することができるだけでなく、インジェクタノズルの軸線方向に配列された複数の噴孔に対しても同時に発光することができる。それにより、複数の噴孔の相対位置関係が予め定められた相対位置関係になっているか否かを容易に検査することができる。
【００１２】
請求項２記載の発明によれば、前記受光装置の受光面が円筒状であることを特徴とする請求項１に記載の多数の微細噴孔を有するインジェクタノズルの検査装置が提供される。
【００１３】
請求項２に記載の多数の微細噴孔を有するインジェクタノズルの検査装置では、受光装置の受光面が円筒状であるため、受光装置をインジェクタノズルに対して周方向に回転させる必要なく、複数の噴孔の周方向の相対位置関係が予め定められた相対位置関係になっているか否かを検査することができる。
【００１６】
【発明の実施の形態】
以下、添付図面を用いて本発明の実施形態について説明する。
【００１７】
図１は本発明の多数の微細噴孔を有するインジェクタノズルの検査装置の第一の実施形態を示した縦断面図、図２は図１に示した多数の微細噴孔を有するインジェクタノズルの検査装置の横断面図である。図１及び図２において、１は検査の対象となる多数の微細噴孔を有するインジェクタノズル、Ｈは噴孔、２は噴孔Ｈに対し発光するためにインジェクタノズル１内に配置された発光装置、３はインジェクタノズル１の軸線方向に延びているほぼ線状の発光体、４は発光体３から発せられ噴孔Ｈを通過した光を受光するためにインジェクタノズル１外に配置された受光装置、５は円筒状の受光面である。
【００１８】
図１及び図２に示すように、発光体３は複数の噴孔Ｈに対し同時に発光可能であり、受光面５は、発光体３から発せられ複数の噴孔Ｈを通過した複数の光を同時に受光可能である。詳細には、発光体３は、インジェクタノズル１の軸線方向に配列された複数の噴孔Ｈに対し同時に発光可能であると共に（図１）、インジェクタノズル１の周方向に配列された複数の噴孔Ｈに対し同時に発光可能である（図２）。また、受光面５は、インジェクタノズル１の軸線方向に配列された複数の噴孔Ｈを通過した複数の光を同時に受光可能であると共に（図１）、インジェクタノズル１の周方向に配列された複数の噴孔Ｈを通過した複数の光を同時に受光可能である（図２）。そのため、本実施形態の検査装置は、複数の噴孔Ｈの相対位置関係が予め定められた相対位置関係になっているか否かを検査することができる。更に本実施形態の検査装置は、受光面５上で得られた光像の形状を記憶装置（図示せず）に記憶されている予め定められた光像の形状と比較することにより、各噴孔Ｈの形状が予め定められた形状になっているか否かを検査する。それゆえ、複数の噴孔Ｈの相対位置関係が予め定められた相対位置関係になっているか否かだけでなく、各噴孔Ｈの形状が予め定められた形状になっているか否かも検査することができる。
【００１９】
更に本実施形態の検査装置では、発光体３は、上述したようにインジェクタノズル１の軸線方向にほぼ線状をなして延びているため、インジェクタノズル１の周方向に配列された複数の噴孔Ｈに対し同時に発光することができるだけでなく（図２）、インジェクタノズル１の軸線方向に配列された複数の噴孔Ｈに対しても同時に発光することができる（図１）。
【００２０】
図３は本実施形態の検査装置による検査の対象となるインジェクタノズルの一例を示した側面図、図４は図３に示したインジェクタノズルの噴孔を通過した光が受光面上に形成する光像を示した図である。図１及び図２に示すように本実施形態の受光面５は円筒状であるが、図４ではこの受光面５を平面に展開して示してある。図３に示すように、本実施形態の検査装置による検査の対象となるインジェクタノズル１は、インジェクタノズルの軸線方向に延びる列を３列、インジェクタノズルの周方向に延びる列を４列を有し、１２個の噴孔Ｈ１１〜Ｈ３４を有する。図４において、Ｌ１１〜Ｌ３４は、それぞれ、噴孔Ｈ１１〜Ｈ３４を通過した光が受光面５上に実際に形成した光像である。また、Ｔ１１、Ｔ２２、Ｔ２３及びＴ３４は、それぞれ、噴孔Ｈ１１、Ｈ２２、Ｈ２３及びＨ３４が予め定められた位置に正確に配置されかつ予め定められた形状と同一形状を有する場合に受光面５上に形成される目標光像である。
【００２１】
図４に示すように、本実施形態の検査装置によれば、光像Ｌ１１は目標光像Ｔ１１に対し位置がずれていると判断される。そのため、噴孔Ｈ１１が予め定められた位置からずれた位置に形成されていると判断される。つまり、噴孔Ｈ２１及びＨ３１に対する噴孔Ｈ１１の相対位置関係が予め定められた相対位置関係になっておらず、噴孔Ｈ１２、Ｈ１３及びＨ１４に対する噴孔Ｈ１１の相対位置関係が予め定められた相対位置関係になっていないと判断される。同様に、光像Ｌ２２は目標光像Ｔ２２に対し位置がずれていると判断され、噴孔Ｈ２２が予め定められた位置からずれた位置に形成されていると判断される。つまり、噴孔Ｈ１２及びＨ３２に対する噴孔Ｈ２２の相対位置関係が予め定められた相対位置関係になっておらず、噴孔Ｈ２１、Ｈ２３及びＨ２４に対する噴孔Ｈ２２の相対位置関係が予め定められた相対位置関係になっていないと判断される。
【００２２】
また本実施形態の検査装置によれば、光像Ｌ２３の形状が目標光像Ｔ２３の形状に一致していないと判断される。そのため、噴孔Ｈ２３の形状が予め定められた形状になっていないと判断される。同様に、光像Ｌ３４の形状が目標光像Ｔ３４の形状に一致していないと判断される。そのため、噴孔Ｈ３４の形状が予め定められた形状になっていないと判断される。
【００２３】
更に本実施形態の検査装置では、受光装置４の受光面５が円筒状であるため、噴孔Ｈを通過した光が常に受光面５に対し垂直に当たる。それゆえ、噴孔Ｈ１１〜Ｈ３４を通過した光は歪むことなく光像Ｌ１１〜Ｌ３４を形成する。つまり、検査すべき噴孔を通過した光が受光面に対し垂直に当たるように受光面をインジェクタノズルに対して周方向に回転させる必要なく、複数の噴孔の周方向の相対位置関係が予め定められた相対位置関係になっているか否か、あるいは、噴孔の形状が予め定められた形状になっているか否かを検査することができる。
【００２４】
図５は本発明の多数の微細噴孔を有するインジェクタノズルの検査装置の第二の実施形態を示した縦断面図、図６は図５に示した多数の微細噴孔を有するインジェクタノズルの検査装置の横断面図である。第二の実施形態の検査装置は、受光装置が平面状の受光面を有し、受光面がインジェクタノズルに対し相対的に回転可能である点を除き、第一の実施形態の検査装置と同様である。図５及び図６において、１４は発光体３から発せられ噴孔Ｈを通過した光を受光するためにインジェクタノズル１外に配置された受光装置、１５は平面状の受光面である。
【００２５】
図６（ａ）は噴孔Ｈ２１、Ｈ２２、Ｈ２３及びＨ２４を通過した光が受光面１５に対して垂直に当たるように受光面１５に対してインジェクタノズル１を配置した図である。図６（ａ）に示すように受光面１５に対しインジェクタノズル１が配置される時、噴孔Ｈ２１、Ｈ２２、Ｈ２３及びＨ２４の相対位置関係が予め定められた相対位置関係になっているか否かが判断される。また、噴孔Ｈ２１、Ｈ２２、Ｈ２３及びＨ２４の形状が予め定められた形状になっているか否かが判断される。
【００２６】
次いで、インジェクタノズル１は、噴孔Ｈ３１と噴孔Ｈ２１との間隔に相当する角度だけ矢印方向に回転せしめられ、図６（ｂ）に示す位置に配置される。つまり、図６（ｂ）は図６（ａ）のインジェクタノズル１を受光面１５に対し所定角度だけ相対的に回転させた時の図である。光像Ｌ３１、Ｌ３２、Ｌ３３及びＬ３４の大部分が予め定められた位置からインジェクタノズルの周方向にずれて配置されている場合、噴孔Ｈ３１と噴孔Ｈ２１との実際の間隔が予め定められた間隔になっていないと判断される。つまり、噴孔Ｈ３１と噴孔Ｈ２１との相対位置関係が予め定められた相対位置関係になっていないと判断される。一方、光像Ｌ３１、Ｌ３２、Ｌ３３及びＬ３４の大部分が予め定められた位置に形成されている場合、噴孔Ｈ３１と噴孔Ｈ２１との実際の間隔が予め定められた間隔になっていると判断される。つまり、噴孔Ｈ３１と噴孔Ｈ２１との相対位置関係が予め定められた相対位置関係になっていると判断される。
【００２７】
次いで噴孔Ｈ２１、Ｈ２２、Ｈ２３及びＨ２４の場合と同様に、噴孔Ｈ３１、Ｈ３２、Ｈ３３及びＨ３４の相対位置関係が予め定められた相対位置関係になっているか否かが判断される。また、噴孔Ｈ３１、Ｈ３２、Ｈ３３及びＨ３４の形状が予め定められた形状になっているか否かが判断される。次いで上述したことが噴孔Ｈ１１、Ｈ１２、Ｈ１３及びＨ１４についても繰り返される。以上により、噴孔Ｈ１１〜Ｈ３４の相対位置関係が予め定められた相対位置関係になっているか否かが判断される。また、噴孔Ｈ１１〜Ｈ３４の形状が予め定められた形状になっているか否かが判断される。
【００２８】
本実施形態の検査装置では、受光装置１４の受光面１５が平面であるため、円筒状の受光面を使用する第一の実施形態の場合よりも安価な受光面１５を使用することができ、それゆえ、安価なインジェクタノズルの検査装置を提供することができる。
【００２９】
上述した実施形態における受光装置には、例えば高解像度ＣＣＤ等を使用することが可能である。また、上述した実施形態における受光面のインジェクタノズル軸線方向長さが短い場合であっても、受光面をインジェクタノズルに対しインジェクタノズル軸線方向に予め定められた量ずつ相対的に移動させることにより、すべての噴孔の相対位置関係が予め定められた相対位置関係になっているか否かを検査することができる。
【００３０】
【発明の効果】
請求項１に記載の発明によれば、発光装置は、インジェクタノズルの周方向に配列された複数の噴孔に対し同時に発光することができるだけでなく、インジェクタノズルの軸線方向に配列された複数の噴孔に対しても同時に発光することができ、複数の噴孔の相対位置関係が予め定められた相対位置関係になっているか否かを容易に検査することができる。
【００３３】
請求項２に記載の発明によれば、受光装置をインジェクタノズルに対して周方向に回転させる必要なく、複数の噴孔の周方向の相対位置関係が予め定められた相対位置関係になっているか否かを検査することができる。
【図面の簡単な説明】
【図１】本発明の多数の微細噴孔を有するインジェクタノズルの検査装置の第一の実施形態を示した縦断面図である。
【図２】図１に示した多数の微細噴孔を有するインジェクタノズルの検査装置の横断面図である。
【図３】第一の実施形態の検査装置による検査の対象となるインジェクタノズルの一例を示した側面図である。
【図４】図３に示したインジェクタノズルの噴孔を通過した光が受光面上に形成する光像を示した図である。
【図５】本発明の多数の微細噴孔を有するインジェクタノズルの検査装置の第二の実施形態を示した縦断面図である。
【図６】図５に示した多数の微細噴孔を有するインジェクタノズルの検査装置の横断面図である。
【符号の説明】
１…インジェクタノズル
２…発光装置
４…受光装置
Ｈ…噴孔
【図１】
0003601348.tif 000002
【図２】
0003601348.tif 000003
【図３】
0003601348.tif 000004
【図４】
0003601348.tif 000005
【図５】
0003601348.tif 000006
【図６】
0003601348.tif 000007